(57)【要約】【課題】美観が良好で、高級感を有し、強度的にも優れ、内部に収容したアンテナが確実に電波を受信することが可能な無線機能付き時計を提供する。【解決手段】無線機能付き時計であって、ハウジングと、前記ハウジング内に収容され、外部からの電波を受信するためのアンテナと、前記ハウジング上に回転可能に配置される導電性の回転ベゼルと、前記回転ベゼルを周方向に分断する少なくとも１つのスリットと、を備える。【選択図】図１
2008032567.tif 000002
【特許請求の範囲】
【請求項１】
無線機能付き時計であって、
ハウジングと、
前記ハウジング内に収容され、外部からの電波を受信するためのアンテナと、
前記ハウジング上に回転可能に配置される導電性の回転ベゼルと、
前記回転ベゼルを周方向に分断する少なくとも１つのスリットと、
を備えることを特徴とする無線機能付き時計。
【請求項２】
前記回転ベゼルのスリット内に、絶縁部材が配置されていることを特徴とする請求項１に記載の無線機能付き時計。
【請求項３】
前記絶縁部材が、非導電性の合成樹脂であることを特徴とする請求項２に記載の無線機能付き時計。
【請求項４】
前記絶縁部材の視認面の色調が、前記回転ベゼルの視認面の色調と同色色調であることを特徴とする請求項２または３に記載の無線機能付き時計。
【請求項５】
前記絶縁部材の視認面の色調が、前記回転ベゼルの視認面の色調である金属外観と同色色調である金属外観を呈することを特徴とする請求項４に記載の無線機能付き時計。
【請求項６】
前記絶縁部材の視認面の色調が、前記回転ベゼルの視認面の色調と異色色調であることを特徴とする請求項２または３に記載の無線機能付き時計。
【請求項７】
前記絶縁部材が、時計の機能表示を示す指標であることを特徴とする請求項２から６のいずれかに記載の無線機能付き時計。
【請求項８】
前記絶縁部材が、導電性の付加部材を保持し、
前記付加部材が、外方から視認され得るように、かつ前記回転ベゼルと接触しないように前記絶縁部材に保持されていることを特徴とする請求項２から７のいずれかに記載の無線機能付き時計。
【請求項９】
前記付加部材の視認面の色調が、前記回転ベゼルの視認面の色調と同色色調であることを特徴とする請求項８に記載の無線機能付き時計。
【請求項１０】
前記付加部材の視認面の色調が、前記回転ベゼルの視認面の色調と異色色調であることを特徴とする請求項８に記載の無線機能付き時計。
【請求項１１】
前記付加部材が、時計の機能表示を示す指標であることを特徴とする請求項８から１０のいずれかに記載の無線機能付き時計。
【請求項１２】
前記回転ベゼルと前記絶縁部材と前記付加部材の視認面が、略同一平面を形成していることを特徴とする請求項８から１１のいずれかに記載の無線機能付き時計。
【請求項１３】
前記付加部材が、前記回転ベゼルと前記絶縁部材との境界の少なくとも一部を覆う覆い部を備えることを特徴とする請求項８から１２のいずれかに記載の無線機能付き時計。
【請求項１４】
前記付加部材の覆い部と前記回転ベゼルとの間に、前記絶縁部材より延出する延出部が形成されていることを特徴とする請求項１３に記載の無線機能付き時計。
【請求項１５】
前記付加部材が、前記絶縁部材に形成された凹部内に配置されていることを特徴とする請求項８から１４のいずれかに記載の無線機能付き時計。
【請求項１６】
前記スリット内に一定間隔離間して配置された２つの前記絶縁部材の間に、前記付加部材が配置されていることを特徴とする請求項８から１５のいずれかに記載の無線機能付き時計。
【請求項１７】
前記絶縁部材と前記付加部材のいずれか一方に突設された係合凸部と、他方に形成された係合孔部とを備え、
前記係合凸部と前記係合孔部との係合によって、前記付加部材が前記絶縁部材に取り付けられていることを特徴とする請求項８から１６のいずれかに記載の無線機能付き時計。
【請求項１８】
前記絶縁部材が、前記回転ベゼルの前記スリットの開放端を越えて、前記回転ベゼルの上面まで延出する指標部を備えることを特徴とする請求項２から１７のいずれかに記載の無線機能付き時計。
【請求項１９】
前記指標部が、導電性の材質からなることを特徴とする請求項１８に記載の無線機能付き時計。
【請求項２０】
前記絶縁部材が、装飾部材を備えることを特徴とする請求項２から１９のいずれかに記載の無線機能付き時計。
【請求項２１】
前記回転ベゼルの上面における内周縁に、
前記回転ベゼルの上面より下方に凹設された環状の段部が形成され、
前記段部に、少なくとも前記ベゼルに設けられている前記スリットを覆うように、補強部材が固定されていることを特徴とする請求項１から２０のいずれかに記載の無線機能付き時計。
【請求項２２】
前記補強部材が、環状に構成されていることを特徴とする請求項２１に記載の無線機能付き時計。
【請求項２３】
前記補強部材の視認面の色調が、前記回転ベゼルの視認面の色調と同色色調であることを特徴とする請求項２１または２２のいずれかに記載の無線機能付き時計。
【請求項２４】
また、本発明の無線機能付き時計は、
前記絶縁部材の視認面の色調が、前記回転ベゼルの視認面の色調である金属外観と同色色調である金属外観を呈することを特徴とする請求項２３に記載の無線機能付き時計。
【請求項２５】
前記補強部材の視認面の色調が、前記回転ベゼルの視認面の色調と異色色調であることを特徴とする請求項２１または２２のいずれかに記載の無線機能付き時計。
【請求項２６】
前記補強部材上に、時計の機能表示を示す指標で形成されていることを特徴とする請求項２１から２５のいずれかに記載の無線機能付き時計。
【請求項２７】
前記回転ベゼルと前記補強部材の視認面が、略同一平面を形成していることを特徴とする請求項２１から２６のいずれかに記載の無線機能付き時計。
【請求項２８】
前記回転ベゼルが導電性の材質であって、
前記回転ベゼルの上面より下方に凹設された環状の段部と、前記補強部材の裏面との間に、絶縁領域を備えることを特徴とする請求項２１から２７のいずれかに記載の無線機能
付き時計。
【請求項２９】
前記絶縁領域が、
前記回転ベゼルの上面より下方に凹設された環状の段部と、前記補強部材の裏面の少なくともいずれか一方に形成された絶縁被膜から構成されていることを特徴とする請求項２８に記載の無線機能付き時計。
【発明の詳細な説明】
【技術分野】
【０００１】
本発明は、所定の電波を受信するアンテナと、アンテナを収容するための導電性のハウジングとを備えた無線機能付き時計に関する。
【背景技術】
【０００２】
従来より、パソコン通信機能、携帯電話機能や非接触式ＩＣカード機能などの無線機能付き時計が知られており、中でも、時刻情報を含む長波標準電波（搬送波）を受信し、その時刻情報に基づいて時刻を修正する無線機能を備えた電波時計が、良く知られている。
【０００３】
ところで、このような無線機能付き時計は、他の通信機器と同様に、所定の電波を受信するためのアンテナを備えている。
このため、無線機能付き時計は、アンテナを収納する筐体であるハウジングを、合成樹脂などの非導電性の素材から構成することで、電波の受信感度を良好とすることが考えられる。
【０００４】
しかしながら、これら無線機能付き時計は、他の通信機器と異なり、時計であるがために、装飾品または装身具としての美観や高級観が求められる。
このため、アンテナを収納する筐体であるハウジングを、合成樹脂などの非導電性の素材ではなく、導電性の素材、すなわち金属製の素材を採用することが求められる。
【０００５】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
【０００６】
この金属製のハウジングに対する要求は、ユーザーに携帯される装身具としての腕時計において、特に著しいものである。
しかしながら、アンテナを、導電性のハウジング、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【０００７】
このため、従来より受信感度向上のための様々な提案がなされている。
例えば特許文献１では、金属製筐体である金属製のハウジングを備える電波時計、特に電波腕時計が開示されている。
【０００８】
すなわち、図２１に示したように、この電波時計１００は、ハウジング１０２を備えている。
なお、本明細書中で「上下方向」とは、図２１または図１において、上下方向を意味する。従って上面とは、腕時計を手首に装着した状態において外方に露出する面であり、下面とは同状態において手首と相対する面である。
【０００９】
また「平面方向」とは、上下方向に直交する方向であって、図２１において左右方向を意味するものであり、平面方向がバンドの長手方向またはバンドの幅方向と重複する場合もある。
【００１０】
このハウジング１０２は、金属製の枠体を構成する時計ケース１０４と、時計ケース１０４の下面開口部を覆うように密封状態で装着される金属製の裏蓋１０６と、この時計ケ
ースの上面開口部を覆うように、密封状態で装着される風防（ガラス）１０８とを備えている。
【００１１】
このハウジング１０２内には、時計駆動部を構成するムーブメント１１０と、このムーブメント１１０の上面に配置され、ムーブメントを光の起電力によって駆動するためのソーラーセル１１２を備えている。このソーラーセル１１２の上面には、ソーラーセル１１２の発電に寄与する波長の外光を、少なくともムーブメント１１０の駆動に足るだけ透過させる透光機能を有する文字板１１４を備えている。
【００１２】
さらに、このムーブメント１１０の側部下方には、標準電波を受信するためのアンテナ１１６が付設されている。
なお、図示しないが、ムーブメント１１０より突出して、ソーラーセル１１２と文字板１１４とを貫通する針軸に、分針と時針とが配置される。これら分針と時針とは、文字板１１４と風防１０８との間に位置して時刻を表示するようになっている。
【００１３】
さらに、時計ケース１０４は、外方に突出する２組のバンド取り付け部１１８を備えており、これらのバンド取り付け部１１８にはそれぞれ、互いに対向するように、一定間隔離間して配置され、時計ケース１０４より延設された脚部１２０を備えている。
【００１４】
そして、これら脚部１２０のそれぞれの間に、図示しない腕時計のバンドそれぞれが連結されるようになっている。
ところで、このような金属製外装が採用された電波時計１００においては、アンテナ１１６が電波を受信する際に、金属製の時計ケース１０４において、その環状壁の周方向に沿った渦電流が誘導電流として流れることになる。
【００１５】
この渦電流が、ハウジング１０２の外部からの電波を相殺してしまい、アンテナ１１６の受信感度が極めて低下してしまうことになる。
このような現象を回避するために、この特許文献１の電波時計１００においては、時計ケース１０４の環状壁には、時計ケース１０４を周方向に分断するスリット１２２を備えている。
【００１６】
すなわち、図２１に示したように、時計ケース１０４は、スリット１２２によって、上下方向に沿って完全に分断され、結果として、このスリット１２２によって、時計ケース１０４は、略Ｃ型の枠体の形状となっている。
【００１７】
なお、図２１においては、このスリット１２２を明確にするために省略して、図示はされていないが、このスリット１２２には、非導電性の合成樹脂から成る絶縁部材が埋め込まれた状態となっている。
【００１８】
すなわち、この絶縁部材によって、時計ケース１０４の防水性と強度が維持されるように構成されている。
従って、このスリット１２２を備える電波時計１００では、アンテナ１１６が電波を受信する際に、時計ケース１０４の環状壁の周方向に沿った渦電流が流れないので、導電性である金属製の時計ケース１０４を採用した場合にも、アンテナ１１６の受信が確保されるようになっている。
【特許文献１】特開２００２−３４１０５７号公報
【発明の開示】
【発明が解決しようとする課題】
【００１９】
しかしながら、特許文献１の電波時計１００では、時計ケース１０４の一部に、スリッ
ト１２２を形成して、このスリット１２２に合成樹脂からなる絶縁部材を埋め込んだ状態であるので、美観が良好ではなく、高級感に欠けることになり、また、全てを金属で構成した時計ケースに比較して、絶縁部材の部分で強度がどうしても弱くなり、防水性、耐衝撃性、耐磨耗性、耐薬品性にも劣ることになる。
【００２０】
本発明は、このような現状に鑑み、美観が良好で、高級感を有し、強度的にも優れ、内部に収容したアンテナが確実に電波を受信することが可能な無線機能付き時計を提供することを目的とする。
【課題を解決するための手段】
【００２１】
本発明は、前述したような従来技術における課題及び目的を達成するために発明されたものであって、
本発明の無線機能付き時計は、
無線機能付き時計であって、
ハウジングと、
前記ハウジング内に収容され、外部からの電波を受信するためのアンテナと、
前記ハウジング上に回転可能に配置される導電性の回転ベゼルと、
前記回転ベゼルを周方向に分断する少なくとも１つのスリットと、
を備えることを特徴とする。
【００２２】
このように構成することによって、ハウジング上に回転可能に配置される導電性の回転ベゼルに、回転ベゼルを周方向に分断するスリットが形成されているので、このスリットによって、回転ベゼルに沿って渦電流が流れるのが分断され、渦電流の発生が阻止されることになる。
【００２３】
これにより、回転ベゼルに流れる渦電流に起因するアンテナの受信感度の低下が阻止されることになり、アンテナの受信感度が向上することになる。
また回転ベゼルは、ハウジング上に配置されているため、ハウジングとは別体であり、回転ベゼルにスリットが形成されても、ハウジング自体の防水性は低下しない。
【００２４】
本発明における時計ケースを含むハウジングは、金属のような導電性であっても、合成樹脂のような非導電性であってもかまわない。または、ハウジングを構成する部品に、導電性の部品と、非導電性の部品が混在してもかまわない。
【００２５】
ハウジングは、少なくとも一部が導電性、または少なくとも一部が非導電性の部材と理解される。導電性、非導電性に係わらず、ハウジング上に配置された導電性の回転ベゼルにスリットが設けられれば、回転ベゼルの渦電流に起因するアンテナの受信感度の低下が回避される。
【００２６】
なお、本発明において導電性の部材とは、「その部材の素材自体が導電性の部材であるもの」、または「その部材に導電性の被膜が被覆されたもの」を言う。後者の場合、部材の素材自体は、非導電性の素材であっても、導電性の素材であっても、または非導電性の素材と導電性の素材の組み合わせであってもよい。
【００２７】
逆に非導電性の部材とは、「その部材の素材自体が非電性の部材であるもの」、または「その部材に非電性の被膜が被覆されたもの」を言う。後者の場合、部材の素材自体は、非導電性の素材であっても、導電性の素材であっても、または非導電性の素材と導電性の素材の組み合わせであってもよい。
【００２８】
回転ベゼルを構成する導電性の材料としては、金、銀、銅、黄銅、アルミニウム、マグ
ネシウム、亜鉛、チタン、またはこれらの合金などが採用される。また、例えば、チタン合金、ステンレススチール、タンタルカーバイドなどが採用されてもよい。
【００２９】
また、本発明の無線機能付き時計は、
前記回転ベゼルのスリット内に、絶縁部材が配置されていることを特徴とする。
このように構成することによって、時計ケース上に配置した導電性の回転ベゼルに、回転ベゼルを周方向に分断するスリットが形成され、このスリット内に絶縁部材が配置されているので、この絶縁部材によって、回転ベゼルに沿って渦電流が流れるのが分断され、渦電流の発生が阻止されることになる。
【００３０】
これにより、回転ベゼルに流れる渦電流に起因するアンテナの受信感度の低下が阻止されることになり、アンテナの受信感度が向上することになる。
また、絶縁部材は、非導電性の素材から成る部材であっても、導電性の素材に非導電性の被膜が被覆された部材であってもよい。非導電性の素材としては、合成樹脂、ゴム、またはセラミックなどが採用される。導電性の素材としては、上述した回転ベゼルの素材が採用される。
【００３１】
導電性材料の上に被覆される非導電性被膜、すなわち絶縁被膜としては、アクリル系材料、ウレタン系材料、またはセルロース系材料などの有機材料の絶縁被膜が採用される。また、この絶縁被膜として、例えばクロム化合物を含むクロム化合物系被膜、または酸化アルミ化合物を含む酸化アルミ系被膜が採用される。
【００３２】
クロム化合物系被膜としては、酸化クロム化合物を含む酸化クロム系被膜、窒化クロム化合物を含む窒化クロム系被膜、炭化クロム化合物を含む炭化クロム系被膜が採用される。
【００３３】
また、絶縁被膜としては、ＤＬＣ（Ｄｉａｍｏｎｄ  Ｌｉｋｅ  Ｃａｒｂｏｎ）などのように、後述する回転ベゼルと時計ケースとの間に配置される絶縁領域としている絶縁被膜が採用されても良い。
【００３４】
また、絶縁被膜の代わりに、合成樹脂やゴムなどから成る絶縁シートが貼着されてもかまわない。
絶縁部材は、不用意に抜脱しないように回転ベゼルに固定されることが好ましい。この固定手段としては、嵌合、圧入、接合、インサート成形など、機械的な係合手段が採用される。絶縁部材と回転ベゼルとを接合する接合層としては、接着剤、粘着剤、または両面テープなどが用いられる。これら接合層は、非導電性の絶縁層であることが好ましい。
【００３５】
また、本発明の無線機能付き時計は、
前記絶縁部材が、非導電性の合成樹脂であることを特徴とする。
このように絶縁部材を、非導電性の合成樹脂から構成することによって、回転ベゼルをスリットの部分で確実に絶縁することができ、スリットの大きさや形状に合わせた絶縁部材を、例えば、一体成形などで容易に製造することができる。
【００３６】
また、本発明の無線機能付き時計は、
前記絶縁部材の視認面の色調が、前記回転ベゼルの視認面の色調と同色色調であることを特徴とする。
【００３７】
このように、絶縁部材の視認面の色調を、回転ベゼルの視認面と同色色調となるように構成することによって、絶縁部材が視認され難くなり、回転ベゼルの美観、時計自体の美観が向上することになる。
【００３８】
ここで「視認面」とは、外面のうち、観察者に視認される領域を言う。
また「同色色調」とは、回転ベゼルと絶縁部材との色調が、共に同じ色調と認識され得る範囲内にあることを意味し、その色調の濃淡や明暗など、色調の外観上の風合いが完全に一致することに限定されない。例えば、濃い金色、薄い金色、明るい金色、または暗い金色は、ここではすべて金色の同色色調とされる。
【００３９】
例えば、回転ベゼルが明るい金色色調であり、絶縁部材が暗い金色色調であろうとも、回転ベゼルと絶縁部材の視認面が金色の同色色調を呈すれば、絶縁部材が視認され難くなり、回転ベゼルの美観、時計自体の美観が向上する。
【００４０】
また、絶縁部材の視認面の色調が、前記回転ベゼルの視認面の色調と同色色調である場合に、回転ベゼルと絶縁部材の視認面の色調とは、回転ベゼルと絶縁部材の素材そのものの色調であっても、回転ベゼルと絶縁部材に被覆された被膜の色調であってもよい。
【００４１】
このような被膜としては、塗装被膜、印刷被膜、または乾式めっき被膜などが挙げられる。
なお、回転ベゼルと絶縁部材における視認面以外の外面が、同色色調であって、回転ベゼルと絶縁部材における外面すべてが、同色色調であってもよい。
【００４２】
また、本発明の無線機能付き時計は、
前記絶縁部材の視認面の色調が、前記回転ベゼルの視認面の色調である金属外観と同色色調である金属外観を呈することを特徴とする。
【００４３】
このように、特に、絶縁部材が、導電性素材より成る回転ベゼルと同じような金属外観を呈すれば、絶縁部材が視認され難くなるばかりか、回転ベゼルに高級観が与えられる。
導電性素材より成る回転ベゼルと同じような金属外観を得るために、絶縁部材は、回転ベゼルと同色色調のメタリック塗装による塗装被膜に被覆されてもよい。このメタリック塗装被膜として、例えばメタリック顔料が混入された塗装被膜が採用される。
【００４４】
例えば、ステンレス色を得るためには、鉄、クロム、ニッケル、モリブデンなどを成分とするステンレス顔料が含有された塗装被膜が被覆される。
また、金色を得るためには、銅、亜鉛、鉄などを成分とするブロンズ顔料が含有された塗装被膜が被覆される。
【００４５】
さらに、銀色を得るためには、アルミニウムを成分とするアルミニウム顔料、またはニッケルを成分とするニッケル顔料が含有された塗装被膜が被覆される。
これら以外にも、パール顔料、グラファイト顔料、フタロシャニンフレークなどの様々な顔料が採用されても良い。
【００４６】
なお、絶縁部材が塗装される工程は以下の通りである。
先ず、絶縁部材の外表面上に下地塗装被膜が被覆される。
次いで、この下地塗装被膜の上にメタリック塗装被膜が被覆される。
【００４７】
さらに、このメタリック塗装被膜の上に、透明、または半透明な合成樹脂層であるクリアコートが被覆される。このクリアコートにより、メタリック塗装被膜に金属が含有された場合にも、塗装された絶縁部材の最外表面は、非導電性を維持する。
【００４８】
メタリック塗装被膜に限らず、このような塗装被膜の単層、または積層の非導電性を確保するためには、クリアコートのような、絶縁性の上塗り塗装被膜が最外層として採用さ
れることが好ましい。
【００４９】
このような絶縁塗装被膜としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが採用される。
【００５０】
また、本発明の無線機能付き時計は、
前記絶縁部材の視認面の色調が、前記回転ベゼルの視認面の色調と異色色調であることを特徴とする。
【００５１】
このように、絶縁部材の視認面の色調を、回転ベゼルの視認面の色調と異色色調となるように構成すれば、この絶縁部材の部分を、美観上または何らかの情報を、時計の携帯者などの観察者に視認し易くさせることができる。
【００５２】
ここで、絶縁部材と回転ベゼルとが異色色調であるとは、上記の同色色調と認められない色調の組み合わせのことを言う。
また、本発明の無線機能付き時計は、
前記絶縁部材が、時計の機能表示を示す指標であることを特徴とする。
【００５３】
このように絶縁部材が、時刻表示、日付表示、曜日表示、月表示、年表示、電池の残量表示、圧力や温度などの外環境測定値の表示、アンテナの受信感度表示、アンテナにおける受信成否の表示など、時計の機能表示を示す指標であれば、時計の機能表示を、時計の携帯者などの観察者に示すことができる。
【００５４】
特に、回転ベゼルの視認面の色調と異色色調の絶縁部材を指標にした場合には、時計の機能表示を観察者により視認し易くすることができる。
回転ベゼルが金属色調を呈するのであれば、絶縁部材は、赤、オレンジ、黄色などの目立つ色調を呈することができる。絶縁部材の視認面の色調とは、絶縁部材の素材そのものの色調であっても、絶縁部材に被覆された被膜の色調であってもよい。この被膜としては、塗装被膜、印刷被膜、または乾式めっき被膜などが挙げられる。
【００５５】
また、本発明の無線機能付き時計は、
前記絶縁部材が、導電性の付加部材を保持し、
前記付加部材が、外方から視認され得るように、かつ前記回転ベゼルと接触しないように前記絶縁部材に保持されていることを特徴とする。
【００５６】
このように構成することによって、絶縁部材に保持された導電性の付加部材により、絶縁部材に金属外観が付与されることになるので、回転ベゼルの美観と高級観が向上し、時計自体の美観も向上することになる。
【００５７】
また付加部材が、回転ベゼルと接触しないように絶縁部材に保持されているので、回転ベゼルに渦電流が発生せず、アンテナの受信感度が向上する。
また、本発明の無線機能付き時計は、
前記付加部材の視認面の色調が、前記回転ベゼルの視認面の色調と同色色調であることを特徴とする。
【００５８】
このように付加部材の視認面の色調を、回転ベゼルの視認面の色調と同色色調となるように構成すれば、付加部材が視認され難くなり、回転ベゼルの美観、時計自体の美観を向上させることができる。
【００５９】
また、本発明の無線機能付き時計は、
前記付加部材の視認面の色調が、前記回転ベゼルの視認面の色調と異色色調であることを特徴とする。
【００６０】
このように、付加部材の視認面の色調を、回転ベゼルの視認面の色調と異色色調となるように構成することによって、この付加部材の部分を、美観上または何らかの情報を、時計の携帯者などの観察者に視認し易くすることができる。
【００６１】
また、本発明の無線機能付き時計は、
前記付加部材が、時計の機能表示を示す指標であることを特徴とする。
このように付加部材を、時刻表示、日付表示、曜日表示、月表示、年表示、電池の残量表示、圧力や温度などの外環境測定値の表示、アンテナの受信感度表示、アンテナにおける受信成否の表示など、時計の機能表示を示す指標とすることによって、時計の機能表示を、時計の携帯者などの観察者に示すことができる。
【００６２】
特に、回転ベゼルの視認面の色調と異色色調の付加部材を指標にした場合には、時計の機能表示を観察者により視認し易くすることができる。
また、本発明の無線機能付き時計は、
前記回転ベゼルと前記絶縁部材と前記付加部材の視認面が、略同一平面を形成していることを特徴とする。
【００６３】
このように構成することによって、回転ベゼルと絶縁部材と付加部材とが一体的に視認されるので、回転ベゼルの美観と高級観が向上し、時計自体の美観も向上することになる。
【００６４】
また、回転ベゼルと絶縁部材と付加部材のそれぞれ傾斜面が略同一平面を形成していれば、見返しリングに平滑な指標面が形成されるので、指標を読み取りやすくなる。
さらに、指標面に指標を印刷して形成する場合、平滑な指標面に極めて容易に指標を印刷することができる。
【００６５】
また、本発明の無線機能付き時計は、
前記付加部材が、前記回転ベゼルと前記絶縁部材との境界の少なくとも一部を覆う覆い部を備えることを特徴とする。
【００６６】
このように構成することによって、回転ベゼルと絶縁部材との境界が、付加部材の覆い部で隠されて視認されなくなるので、回転ベゼルの美観と高級観がさらに向上する。
また、本発明の無線機能付き時計は、
前記付加部材の覆い部と前記回転ベゼルとの間に、前記絶縁部材より延出する延出部が形成されていることを特徴とする。
【００６７】
このように構成することによって、回転ベゼルと絶縁部材との境界を越えて延びた、導電性の付加部材の覆い部が、絶縁部材の延出部に妨げられて、導電性の回転ベゼルに接触しないことになる。
【００６８】
その結果、導電性である付加部材と回転ベゼルとが確実に絶縁されるので、回転ベゼルに渦電流が生じるのが回避され、アンテナの受信感度が向上することになる。
また、本発明の無線機能付き時計は、
前記付加部材が、前記絶縁部材に形成された凹部内に配置されていることを特徴とする。
【００６９】
このように構成することによって、絶縁部材に形成された凹部内に、付加部材を確実に固定することができる。
また、付加部材と絶縁部材の視認面とが略同一平面を形成するように、絶縁部材の凹部内に付加部材を配置することができ、回転ベゼルと絶縁部材と付加部材とが一体的に視認されるので、回転ベゼルの美観と高級観が向上し、時計自体の美観も向上することになる。
【００７０】
また、本発明の無線機能付き時計は、
前記スリット内に一定間隔離間して配置された２つの前記絶縁部材の間に、前記付加部材が配置されていることを特徴とする。
【００７１】
このように構成することによって、２つの絶縁部材の間に、付加部材を確実に固定することができる。
また、付加部材と絶縁部材の視認面とが略同一平面を形成するように、２つの絶縁部材の間に付加部材を配置することができ、回転ベゼルと絶縁部材と付加部材とが一体的に視認されるので、回転ベゼルの美観と高級観が向上し、時計自体の美観も向上することになる。
【００７２】
また、本発明の無線機能付き時計は、
前記絶縁部材と前記付加部材のいずれか一方に突設された係合凸部と、他方に形成された係合孔部とを備え、
前記係合凸部と前記係合孔部との係合によって、前記付加部材が前記絶縁部材に取り付けられていることを特徴とする。
【００７３】
このように構成することによって、係合凸部と係合孔部との係合によって、付加部材を絶縁部材にさらに確実に固定することができる。
また、本発明の無線機能付き時計は、
前記絶縁部材が、前記回転ベゼルの前記スリットの開放端を越えて、前記回転ベゼルの上面まで延出する指標部を備えることを特徴とする。
【００７４】
このように構成することによって、指標部が時計の機能表示を明確に指示することになり、時計の携帯者などの観察者が、時計の機能表示を視認しやすくなる。
さらに、回転ベゼルのスリットが、時計の携帯者などに視認されにくくなるため、回転ベゼルの美観と高級観が向上し、時計自体の美観も向上することになる。
【００７５】
また、本発明の無線機能付き時計は、
前記指標部が、導電性の材質からなることを特徴とする。
このように、指標部が導電性材質からなれば、回転ベゼルの外観に、さらに金属調の高級感と美観が付与されることとなる。
【００７６】
なお、指標部を導電性の部材とした場合には、絶縁部材を、回転ベゼルのスリットの開放端を越えて回転ベゼルの上面まで延出した形状とし、このような絶縁部材の上に導電性の指標部を設けることが好ましい。
【００７７】
このように構成することで、指標部をバイパスにしてスリットで分断された回転ベゼルの両開放端が電気的に導通することが回避される。
なお、導電性の材料としては、回転ベゼルと同じように、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００７８】
また、本発明の無線機能付き時計は、
前記絶縁部材が、装飾部材を備えることを特徴とする。
このように構成することによって、絶縁部材に、例えば宝石や貴石などの輝石からなる装飾部材を備えることによって、回転ベゼルの美観と高級観が向上し、時計自体の美観も向上することになる。
【００７９】
また、本発明の無線機能付き時計は、
前記回転ベゼルの上面における内周縁に、
前記回転ベゼルの上面より下方に凹設された環状の段部が形成され、
前記段部に、少なくとも前記ベゼルに設けられている前記スリットを覆うように、補強部材が固定されていることを特徴とする。
【００８０】
このように構成することによって、スリットが形成された回転ベゼルの強度を補うことができる。また、補強部材によって、スリットを視認者に見え難くすることができるため、回転ベゼルの美観、時計自体の美観を向上させることができる。
【００８１】
また、補強部材は、非導電性の素材から成る部材であっても、導電性の素材に非導電性の被膜が被覆された部材であってもよい。非導電性の素材としては、合成樹脂、ゴム、またはセラミックなどが採用される。導電性の素材としては、上述した回転ベゼルの素材が採用される。補強部材が導電性の材質からなる場合には、後述するように回転ベゼルの上面より下方に凹設された環状の段部と、補強部材の裏面との間に、絶縁領域を備えることで、導電性の回転ベゼルと時計ケースとの間で、誘導電流が生じないようにすることができる。これによって、回転ベゼルと時計ケースとの間に流れる渦電流に起因するアンテナの受信感度の低下が阻止されることになり、アンテナの受信感度が向上することになる。
【００８２】
また、本発明の無線機能付き時計は、
前記補強部材が、環状に構成されていることを特徴とする。
このように補強部材が環状であれば、回転ベゼルの周方向全体にわたって補強することができる。
【００８３】
また、本発明の無線機能付き時計は、
前記補強部材の視認面の色調が、前記回転ベゼルの視認面の色調と同色色調であることを特徴とする。
【００８４】
このように、補強部材の視認面の色調を、回転ベゼルの視認面と同色色調となるように構成することによって、補強部材が視認され難くなり、回転ベゼルの美観、時計自体の美観が向上することになる。
【００８５】
ここで「視認面」とは、外面のうち、観察者に視認される領域を言う。
また「同色色調」とは、回転ベゼルと補強部材との色調が、共に同じ色調と認識され得る範囲内にあることを意味し、その色調の濃淡や明暗など、色調の外観上の風合いが完全に一致することに限定されない。例えば、濃い金色、薄い金色、明るい金色、または暗い金色は、ここではすべて金色の同色色調とされる。
【００８６】
例えば、回転ベゼルが明るい金色色調であり、補強部材が暗い金色色調であろうとも、回転ベゼルと補強部材の視認面が金色の同色色調を呈すれば、補強部材が視認され難くな
り、回転ベゼルの美観、時計自体の美観が向上する。
【００８７】
また、補強部材の視認面の色調が、前記回転ベゼルの視認面の色調と同色色調である場合に、回転ベゼルと補強部材の視認面の色調とは、回転ベゼルと補強部材の素材そのものの色調であっても、回転ベゼルと補強部材に被覆された被膜の色調であってもよい。
【００８８】
このような被膜としては、塗装被膜、印刷被膜、または乾式めっき被膜などが挙げられる。
なお、回転ベゼルと補強部材における視認面以外の外面が、同色色調であって、回転ベゼルと補強部材における外面すべてが、同色色調であってもよい。
【００８９】
また、本発明の無線機能付き時計は、
前記絶縁部材の視認面の色調が、前記回転ベゼルの視認面の色調である金属外観と同色色調である金属外観を呈することを特徴とする。
【００９０】
このように、特に、補強部材が、導電性素材より成る回転ベゼルと同じような金属外観を呈すれば、補強部材が視認され難くなるばかりか、回転ベゼルに高級観が与えられる。
導電性素材より成る回転ベゼルと同じような金属外観を得るために、補強部材は、回転ベゼルと同色色調のメタリック塗装による塗装被膜に被覆されてもよい。このメタリック塗装被膜として、例えばメタリック顔料が混入された塗装被膜が採用される。
【００９１】
例えば、ステンレス色を得るためには、鉄、クロム、ニッケル、モリブデンなどを成分とするステンレス顔料が含有された塗装被膜が被覆される。
また、金色を得るためには、銅、亜鉛、鉄などを成分とするブロンズ顔料が含有された塗装被膜が被覆される。
【００９２】
さらに、銀色を得るためには、アルミニウムを成分とするアルミニウム顔料、またはニッケルを成分とするニッケル顔料が含有された塗装被膜が被覆される。
これら以外にも、パール顔料、グラファイト顔料、フタロシャニンフレークなどの様々な顔料が採用されても良い。
【００９３】
なお、補強部材が塗装される工程は以下の通りである。
先ず、補強部材の外表面上に下地塗装被膜が被覆される。
次いで、この下地塗装被膜の上にメタリック塗装被膜が被覆される。
【００９４】
さらに、このメタリック塗装被膜の上に、透明、または半透明な合成樹脂層であるクリアコートが被覆される。このクリアコートにより、メタリック塗装被膜に金属が含有された場合にも、塗装された補強部材の最外表面は、非導電性を維持する。
【００９５】
メタリック塗装被膜に限らず、このような塗装被膜の単層、または積層の非導電性を確保するためには、クリアコートのような、絶縁性の上塗り塗装被膜が最外層として採用されることが好ましい。
【００９６】
このような絶縁塗装被膜としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが採用される。
【００９７】
また、本発明の無線機能付き時計は、
前記補強部材の視認面の色調が、前記回転ベゼルの視認面の色調と異色色調であることを特徴とする。
【００９８】
このように、補強部材の視認面の色調を、回転ベゼルの視認面の色調と異色色調となるように構成すれば、この補強部材の部分を、美観上または何らかの情報を、時計の携帯者などの観察者に視認し易くさせることができる。
【００９９】
ここで、補強部材と回転ベゼルとが異色色調であるとは、上記の同色色調と認められない色調の組み合わせのことを言う。
また、本発明の無線機能付き時計は、
前記補強部材上に、時計の機能表示を示す指標で形成されていることを特徴とする。
【０１００】
このように補強部材上に、時刻表示、日付表示、曜日表示、月表示、年表示、電池の残量表示、圧力や温度などの外環境測定値の表示、アンテナの受信感度表示、アンテナにおける受信成否の表示など、時計の機能表示を示す指標を形成することによって、時計の機能表示を、時計の携帯者などの観察者に示すことができる。
【０１０１】
また、本発明の無線機能付き時計は、
前記回転ベゼルと前記補強部材の視認面が、略同一平面を形成していることを特徴とする。
【０１０２】
このように構成することによって、回転ベゼルと補強部材とが一体的に視認されるので、回転ベゼルの美観と高級観が向上し、時計自体の美観も向上することになる。
また、本発明の無線機能付き時計は、
前記回転ベゼルが導電性の材質であって、
前記回転ベゼルの上面より下方に凹設された環状の段部と、前記補強部材の裏面との間に、絶縁領域を備えることを特徴とする。
【０１０３】
このように回転ベゼルと時計ケースとの間に、絶縁領域を備えることによって、導電性の回転ベゼルと時計ケースとの間で、誘導電流が発生しないので、回転ベゼルと時計ケースとの間に流れる渦電流に起因するアンテナの受信感度の低下が阻止されることになり、アンテナの受信感度が向上することになる。
【０１０４】
なお、この絶縁領域は、少なくとも時計ケースの導電性部分と回転ベゼルとの間に配置される。
また、回転ベゼルと時計ケースとの間に絶縁領域を備えることによって、上記のように回転ベゼルに形成したスリット、またはスリット内に配置された絶縁部材のアンテナ受信感度の向上性との相乗効果によって、さらにアンテナの受信感度が向上することになる。
【０１０５】
このような絶縁領域を構成する絶縁部材としては、特に限定されるものではないが、合成樹脂、ゴム、セラミックなどの非導電性の絶縁部材を採用することができる。
また導電性の素材に、非導電性の被膜が被覆された部材とすることも可能である。
【０１０６】
この場合、絶縁部材を構成する導電性材料としては、回転ベゼルを構成する導電性の材料と同様に、金、銀、銅、黄銅、アルミニウム、マグネシウム、亜鉛、チタン、または、これらの合金などを採用することができる。また、チタン合金、ステンレススチール、タンタルカーバイドなどを採用することもできる。
【０１０７】
そして、この絶縁部材を構成する導電性材料に被覆される非導電性の被膜、すなわち絶縁被膜としては、例えば非導電性の塗装被膜、非導電性の印刷被膜、非導電性の乾式メッキ被膜が挙げられる。
【０１０８】
また、このような絶縁被膜としては、
・ＤＬＣ（Ｄｉａｍｏｎｄ  Ｌｉｋｅ  Ｃａｒｂｏｎ）などのＣＶＤ被膜、
・アクリル系材料、ウレタン系材料、または、セルロース系材料などの有機材料の絶縁被膜、
・クロム化合物を含むクロム化合物系被膜、または、酸化アルミ化合物を含む酸化アルミ系被膜、
などを採用することができる。
【０１０９】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。
【０１１０】
また、このような絶縁被膜の代わりに、合成樹脂やゴムなどから成る絶縁シートが絶縁部材を構成する導電性材料に貼着された絶縁部材であってもかまわない。
さらに、前述の絶縁部材に採用された絶縁被膜が用いられても良い。
【０１１１】
また、本発明の無線機能付き時計は、
前記絶縁領域が、
前記回転ベゼルの上面より下方に凹設された環状の段部と、前記補強部材の裏面の少なくともいずれか一方に形成された絶縁被膜から構成されていることを特徴とする。
【０１１２】
このように構成することによって、例えば絶縁材料を塗装することによって、回転ベゼルと時計ケースとの間の境界面の少なくともいずれか一方に、絶縁被膜からなる絶縁領域を形成することができ、作業能率が向上し、製造コストを低減させることができる。
【発明の効果】
【０１１３】
本発明によれば、ハウジング上に配置した導電性の回転ベゼルに、回転ベゼルを周方向に分断するスリットが形成されているので、このスリットによって、回転ベゼルに沿って渦電流が流れるのが分断され、渦電流の発生が阻止されることになる。
【０１１４】
これにより、回転ベゼルに流れる渦電流に起因するアンテナの受信感度の低下が阻止されることになり、アンテナの受信感度が向上することになる。
また、本発明によれば、回転ベゼルを周方向に分断するスリット内に、絶縁部材が配置されているので、この絶縁部材によって、回転ベゼルに沿って渦電流が流れるのが分断され、渦電流の発生が阻止されることになる。
【０１１５】
これにより、回転ベゼルに流れる渦電流に起因するアンテナの受信感度の低下が阻止されることになり、アンテナの受信感度が向上することになる。
また、スリット内に絶縁部材が配置されているので、回転ベゼルの強度を維持することができる。
【発明を実施するための最良の形態】
【０１１６】
以下、本発明の実施の形態（実施例）を図面に基づいてより詳細に説明する。
（実施例１）
図１は、本発明の第１の実施例における無線機能付き時計の斜視図、図２は、図１の第１の実施例における無線機能付き時計の断面図、図３は、図２の第１の実施例における無
線機能付き時計のクリックばね部材を説明する斜視図である。
【０１１７】
図１〜図３において、符号１０は、全体で本発明の無線機能付き時計を示している。
なお、本発明で言う「無線機能付き時計」とは、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでも良いものである。
【０１１８】
図１または図２に示したように、本発明の無線機能付き時計１０は、ハウジング１２を備えている。
このハウジング１２は、金属製の略円筒形状の枠体を構成する時計ケース１４と、時計ケース１４の下面開口部を覆うように密封状態で装着される金属製の裏蓋１６と、この時計ケースの上面開口部を覆うように、密封状態で装着される風防（ガラス）１８とを備えている。
【０１１９】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【０１２０】
このようなハウジング１２内には、時計駆動部を構成するムーブメント２０と、ムーブメント２０の上面に配置され、ムーブメント２０を光の起電力によって駆動するためのソーラーセル２２が備えられている。
【０１２１】
また、このソーラーセル２２の上面には、ソーラーセル２２の発電に寄与する波長の外光を、少なくともムーブメント２０の駆動に足るだけ透過させる透光機能を有する文字板２４を備えている。
【０１２２】
さらに、このムーブメント２０の側部下方の小径部２０ａには、標準電波を受信するためのアンテナ２６が付設されている。
なお図２では、アンテナ２６はコアとなる棒状の磁芯部材と、磁芯部材の外周に巻かれたコイルとから成るバーアンテナとして図示しているが、その他の構成のアンテナとすることも可能である。
【０１２３】
なお、文字板２４は、ソーラーセル２２の発電に寄与する波長の外光を透過する透光機能を有するものであれば特に限定されるものではないが、合成樹脂、セラミック、ガラス、木材、貝などの非導電性材料で構成することによって、外部からの電波がさらにアンテナ２６に到達しやすくなり、アンテナ２６の受信感度を向上させることができる。
【０１２４】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【０１２５】
そして、これら脚部３０のそれぞれの間に、無線機能付き時計１０のバンド（図示せず）がそれぞれに連結されるようになっている。
また、ムーブメント２０より突出して、ソーラーセル２２と文字板２４とを貫通する針軸３１には、分針２７と時針２９とが配置される。これら分針２７と時針２９とは、文字板２４と風防１８との間に位置して時刻を表示するようになっている。
【０１２６】
なお、本明細書中においては、文字板２４と分針２７と時針２９とで、時刻を表示する
いわゆるアナログ時計を例に挙げて説明しているが、他にも文字板２４の替わりに液晶表示装置を配設して、時刻をデジタル表示するデジタル時計であっても良く、さらにはアナログとデジタルとを併用することのできる時計であっても良いものである。
【０１２７】
デジタル時計の場合には、文字板２４、針軸３１、分針２７、時針２９は不要であり、替わりに液晶表示装置が配設されることとなる。
また、時計ケース１４の上面には、上方に向けて立設された環状壁４５と、環状壁４５に隣接し、環状壁４５に対して平面方向に沿った外側に下方方向に環状に形成された環状溝４３と、が設けられている。そしてこの環状溝４３内に、導電性の回転ベゼル３６が回転可能に装着されている。
【０１２８】
なお回転ベゼル３６は、環状壁４５の外周面に設けられた環状凸部３７に、回転ベゼル３６の内周面に設けられた環状凹部３９が機械的に係合することで、回転ベゼル３６が環状溝４３から抜脱することを抑止するとともに、回転ベゼル３６が環状溝４３内で回転できるようになっている。
【０１２９】
このような回転ベゼル３６は、その上面に機能表示が付されていない装飾用の回転ベゼルと、機能表示が付された回転ベゼル（レジスターリング）とに大別される。
なお回転ベゼルに機能表示がなされている場合の表示内容としては、時刻表示、日付表示、曜日表示、月表示、年表示、電池残量表示、圧力や温度などの外環境測定値の表示、アンテナの受信感度表示、アンテナにおける受信の成否の表示などの時計の機能表示などが挙げられる。
【０１３０】
このように回転ベゼル３６上に、これらの機能表示がなされている場合には、時計の機能表示を時計の携帯者などの観察者に示すことができる。
本実施例においては、このような環状溝４３の底面に、図３に示したような環状のクリックばね部材４７が載置されている。
【０１３１】
クリックばね部材４７には、上方に突設された弾性爪４９と、下方に突設された固定爪５１とが設けられており、環状溝４３の底面に環状のクリックばね部材４７を載置した状態で、クリックばね部材４７の固定爪５１で環状溝４３の底面に設けられた係合部（図示せず）と固定されるようになっている。
【０１３２】
また、回転ベゼル３６の下方には、連続する凹凸であるクリック溝４１が形成されており、このような回転ベゼル３６を、クリックばね部材４７が載置された環状溝４３に装着すると、クリックばね部材４７の弾性爪４９と、回転ベゼル３６のクリック溝４１とが弾性的に係合することとなる。
【０１３３】
これによって、使用者が回転ベゼル３６を回転させると、クリックばね部材４７と回転ベゼル３６とが機械的に係合し、回転ベゼル３６のクリック感として感じられるようになっている。
【０１３４】
このような回転ベゼル３６とクリックばね部材４７とによるクリック機構は、回転ベゼル３６の不用意な回転を抑止するとともに、回転ベゼル３６を適宜な角度位置で停止させるための位置決め手段として機能する。
【０１３５】
しかしながら、このようなクリック機構は、必ずしも必要なものではなく、時計によってはクリック機構がなく、回転ベゼル３６がクリック感なしで回転するものであってもよく、使用される状況にあわせて、設けるか否かを決定することが好ましい。
【０１３６】
また時計ケース１４の、環状壁４５に隣接して環状壁４５に対して平面方向に沿った内側は、下方に向かって径が小さくなるテーパー面４２が形成された見返し部３２となっており、この見返し部３２のテーパー面４２上に、時字などの指標（図示せず）が形成されている。
【０１３７】
さらに、この見返し部３２の上端と、時計ケース１４の環状壁４５の内周側には、風防１８を密封状態で固定するための固定（防水）パッキン４６が介装されている。
一方、裏蓋１６には、内側に突設する中子部材４８が形成されており、この中子部材４８の外周側には、離間して形成された複数の係合突設部５０が突設されている。そして、時計ケース１４の下端近傍の内周側には、この裏蓋１６の中子部材４８の係合突設部５０が嵌合する係合用凹部５２が形成されている。
【０１３８】
また、ムーブメント２０の側部上方の大径部２０ｂと、中子部材４８の上端部との間には、支持枠５４が介装されている。
このように構成することによって、裏蓋１６の中子部材４８の係合突設部５０を、時計ケース１４の下端近傍の内周側に設けられた係合用凹部５２に係合することによって、時計ケース１４の内周側に形成されたフランジ形状の見返し部３２と、裏蓋１６の中子部材４８の上端部との間で、支持枠５４を介して、ムーブメント２０、ソーラーセル２２、文字板２４が、時計ケース１４の内部に固定され、収容されるようになっている。
【０１３９】
なお支持枠５４は、合成樹脂などの非導電性材料から成ることが好ましい。このような支持枠５４は、ハウジングの一部を構成する時計ケース１４がステンレスのような導電性材料からなる場合、導電性の時計ケース１４とアンテナ２６との平面方向に沿った隙間を確保し、アンテナ２６の受信性能を高く維持する。
【０１４０】
なお図２において、符号５１は、裏蓋１６と時計ケース１４との間を密封状態で封止するための防水パッキンである。
また、回転ベゼル３６を構成する導電性の材料としては、金、銀、銅、黄銅、アルミニウム、マグネシウム、亜鉛、チタン、または、これらの合金などを採用することができる。
【０１４１】
また、チタン合金、ステンレススチール、タンタルカーバイドなどを採用することもできる。
ところで、このような無線機能付き時計１０においては、アンテナ２６が電波を受信する際に、導電性の回転ベゼル３６には、周方向に沿った渦電流が誘導電流として流れることになる。
【０１４２】
この渦電流が、ハウジング１２の外部からの電波を相殺してしまい、アンテナ２６の受信感度が極めて低下してしまうことになる。
このような現象を回避するために、本発明の無線機能付き時計１０においては、回転ベゼル３６を周方向に分断するスリット５６が形成されている。
【０１４３】
このようにスリット５６を設けることによって、環状の回転ベゼル３６に沿って渦電流が流れるのが分断され、渦電流の発生が阻止されることになる。
これにより、回転ベゼル３６に流れる渦電流に起因するアンテナ２６の受信感度の低下が阻止されることになり、アンテナ２６の受信感度が向上することになる。
（実施例２）
図４は、本発明の第２の実施例における無線機能付き時計であって、スリット内に絶縁部材を装着する状態を説明する斜視図、図５は、本発明の第２の実施例における無線機能付き時計であって、スリット内に絶縁部材を装着した状態を説明する斜視図である。
【０１４４】
この実施例の無線機能付き時計１０は、図１〜図３に示した無線機能付き時計１０と基本的には同様な構成であり、同一の構成部材には同一の参照番号を付して、その詳細な説明を省略する。
【０１４５】
この実施例の無線機能付き時計１０では、図４または図５に示したように、環状部材である回転ベゼル３６のスリット５６内に、絶縁部材７８を備えている。なお、図４または図５において、絶縁部材７８は、回転ベゼル３６との素材の際を明示させるために、あえてハッチングが書き込まれた部品として図示される。
【０１４６】
すなわち絶縁部材７８は、その断面が回転ベゼル３６の断面と略同一形状となっており、スリット５６内に装着することができるようになっている。
このように構成することによって、時計ケース１４上に配置した導電性の回転ベゼル３６に、回転ベゼル３６を周方向に分断するスリット５６が形成され、このスリット５６内に絶縁部材７８が配置されているので、この絶縁部材７８によって、回転ベゼル３６に沿って渦電流が流れるのが分断され、渦電流の発生が阻止されることになる。
【０１４７】
これにより、回転ベゼル３６に流れる渦電流に起因するアンテナ２６の受信感度の低下が阻止されることになり、アンテナ２６の受信感度が向上することになる。
また、このようにスリット５６内に絶縁部材７８が配置されているので、回転ベゼル３６の強度が維持されることにもなる。
【０１４８】
また、絶縁部材７８の断面が、回転ベゼル３６の断面と略同一形状となっているので、絶縁部材７８の視認面が、回転ベゼル３６の視認面と略同一平面を形成していることになる。
【０１４９】
従って、絶縁部材７８の視認面が、回転ベゼル３６とが一体的に視認されるので、回転ベゼル３６の美観と高級観が向上し、時計自体の美観も向上することになる。
なお絶縁部材７８は、回転ベゼル３６に設けられたスリット５６と同数設ければよく、スリット５６が一箇所に設けられている場合には絶縁部材７８を一つ設け、スリット５６が複数箇所に設けられている場合には絶縁部材７８をスリット５６の数と同じだけ設けるようにすれば良い。
【０１５０】
また、絶縁部材７８を構成する絶縁材料としては、特に限定されるものではないが、合成樹脂、ゴム、セラミックなどの非導電性の絶縁材料を採用することができる。
また導電性の素材に、非導電性の被膜が被覆された部材とすることも可能である。
【０１５１】
この場合、絶縁部材７８を構成する導電性材料としては、回転ベゼル３６を構成する導電性の材料と同様に、金、銀、銅、黄銅、アルミニウム、マグネシウム、亜鉛、チタン、または、これらの合金などを採用することができる。また、チタン合金、ステンレススチール、タンタルカーバイドなどを採用することもできる。
【０１５２】
そして、この絶縁部材７８を構成する導電性材料に被覆される非導電性の被膜、すなわち絶縁被膜としては、非導電性の塗装被膜、非導電性の印刷被膜、非導電性の乾式メッキ被膜が挙げられる。
【０１５３】
また、このような絶縁被膜としては、
・ＤＬＣ（ＤＩＡＭＯＮＤ  Ｌｉｋｅ  Ｃａｒｂｏｎ）などのＣＶＤ被膜、
・アクリル系材料、ウレタン系材料、または、セルロース系材料などの有機材料の絶縁被膜、
・クロム化合物を含むクロム化合物系被膜、または酸化アルミ化合物を含む酸化アルミ系被膜、
などを採用することができる。
【０１５４】
なお、クロム化合物系被膜としては、酸化クロム化合物を含む酸化クロム系被膜、窒化クロム化合物を含む窒化クロム系被膜、炭化クロム化合物を含む炭化クロム系被膜を採用することができる。
【０１５５】
また、このような絶縁被膜の代わりに、合成樹脂やゴムなどから成る絶縁シートが絶縁部材７８を構成する導電性材料に貼着された絶縁部材７８であってもかまわない。
この場合、絶縁部材７８が非導電性の合成樹脂であれば、回転ベゼル３６をスリット５６の部分で確実に絶縁することができ、スリット５６の大きさや形状に合わせた絶縁部材７８を、一体成形などで容易に製造することができる。
【０１５６】
また絶縁部材７８は、不用意に回転ベゼル３６のスリット５６から脱落しないように、回転ベゼル３６に固定されることが好ましい。固定手段としては、嵌合、圧入、接合、インサート成形など、機械的な係合手段を採用することができるが、回転ベゼル３６は、時計ケース１４に対して回転するようになっているため、ある程度の強度を維持するためにもインサート成形が好ましい。
【０１５７】
また、絶縁部材７８の視認面の色調が、回転ベゼル３６の視認面の色調と同色色調とすることもできる。
このように、絶縁部材７８の視認面の色調を、回転ベゼル３６の視認面の色調と同色色調となるように構成すれば、絶縁部材７８が視認され難くなり、回転ベゼル３６の美観、時計自体の美観が向上することになる。なお「視認面」とは、外面のうち観察者に視認される領域を言う。
【０１５８】
また、絶縁部材７８の視認面の色調が、回転ベゼル３６の視認面の色調と異色色調とすることもできる。
このように、絶縁部材７８の視認面の色調を、回転ベゼル３６の視認面の色調と異色色調となるように構成すれば、例えばこの絶縁部材７８の部分を、美観上または何らかの情報を、時計の携帯者などの観察者に視認し易くすることができる。
【０１５９】
この場合「同色色調」とは、環状部材と絶縁部材との色調とが、共に同じ色調と認識され得る範囲内にあることを意味し、その色調の濃淡や明暗など、色調の外観上の風合いが完全に一致することに限定されない。
【０１６０】
なお、回転ベゼル３６と絶縁部材７８の視認面の色調とは、回転ベゼル３６と絶縁部材７８の素材そのものの色調であっても、回転ベゼル３６と絶縁部材７８に被覆された被膜の色調であってもよい。
【０１６１】
従って「異色色調」とは、このような回転ベゼル３６と絶縁部材７８の視認面の色調が、上記の同色色調と認められない色調の組み合わせを言う。
さらに、絶縁部材７８を、時計の機能表示を示す指標とすることもできる。
【０１６２】
このように絶縁部材７８を、時刻表示、日付表示、曜日表示、月表示、年表示、電池の残量表示、圧力や温度などの外環境測定値の表示、アンテナの受信感度表示、アンテナにおける受信の成否表示など時計の機能表示を示す指標とすることによって、時計の機能表示を、時計の携帯者などの観察者に示すことができる。
【０１６３】
特に、回転ベゼル３６の視認面の色調と異色色調の絶縁部材７８を指標にした場合には、このような時計の機能表示を観察者により視認し易くすることができる。この場合、絶縁部材７８の数、形成位置としては、実施例１と同様に採用することができる。
（実施例３）
図６は、本発明の第３の実施例における無線機能付き時計であって、スリット内に絶縁部材を装着する状態を説明する斜視図、図７は、本発明の第３の実施例における無線機能付き時計であって、スリット内に絶縁部材を装着した状態を説明する斜視図、図８は、絶縁部材の指標部が、回転ベゼルのスリットの開放端を越えて、回転ベゼルの上方まで延出した場合の状態を説明する斜視図、図９は、絶縁部材の指標部が、回転ベゼルのスリットの開放端を越えて、回転ベゼルの上方まで延出した場合の他の状態を説明する斜視図、図１０は、絶縁部材の指標部を、導電性の材質とした場合の状態を説明する斜視図である。
【０１６４】
この実施例の無線機能付き時計１０は、図１〜図３に示した無線機能付き時計１０と基本的には同様な構成であり、同一の構成部材には同一の参照番号を付して、その詳細な説明を省略する。
【０１６５】
この実施例の無線機能付き時計１０では、図６から図１０に示したように、絶縁部材７８上に指標部８８を備えている。
このように構成することによって、絶縁部材７８を、時計の機能表示を示す指標として用いられる場合、指標部８８が時計の機能表示を明確に指示することになり、時計の携帯者などの観察者が、時計の機能表示を視認しやすくなる。
【０１６６】
この指標部８８は、図示されるように、回転ベゼル３６の上面より上方に延出することが好ましい。すると、時計の携帯者が、指標部８８を視認しやすくなるばかりか、指標部８８を指に引っかけることができるので、回転ベゼルを回転させやすくなる。
【０１６７】
また、図６または図７に示した絶縁部材７８においては、回転ベゼル３６における、スリット５６を挟んで対向する両開放端と、導電性の指標部８８とが接触しないように、指標部８８は絶縁部材７８の幅内に配置されることが好ましい。
【０１６８】
このように構成することで、指標部８８をバイパスにしてスリット５６で分断された回転ベゼル３６の両開放端が電気的に導通することが回避される。
なお、導電性の材料としては、回転ベゼル３６と同じように、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【０１６９】
このように、指標部８８が金属のような導電性材料からなれば、回転ベゼル３６の外観に、さらに金属調の高級感と美観が付与されることとなる。
また、指標部８８として合成樹脂のような非導電性材料が採用される場合、指標部８８は絶縁部材７８とは異なる色調の合成樹脂で成形されてもよい。すると、指標部８８が視認されやすくなるので、時計の携帯者などの観察者が、さらに時計の機能表示を視認しやすくなる。
【０１７０】
さらに、図８から図１０に示したように、指標部８８が回転ベゼル３６のスリット５６の開放端を越えて、回転ベゼル３６の上面まで延出するように構成しても良い。このように構成すれば、回転ベゼル３６のスリット５６が、時計の携帯者などに視認されにくくなるため、回転ベゼル３６の美観と高級観が向上し、時計自体の美観も向上することになる。
【０１７１】
さらに本実施例においては、指標部８８は、絶縁部材７８と一体であっても、別体であってもよい。
例えば、指標部８８が回転ベゼル３６のスリット５６の開放端を越えて、回転ベゼル３６の上面まで延出した構成であって、絶縁部材７８と指標部８８とが一体である場合には、図８に示した無線機能付き時計１０のような構成となる。
【０１７２】
さらに、絶縁部材７８と指標部８８とが別体である場合には、図９に示した無線機能付き時計１０のような構成となる。
なお、指標部８８と絶縁部材７８とが、共に合成樹脂のような射出成形可能な非導電性材料から成る場合は、指標部８８と絶縁部材７８とが一体的に成形されてもよい。
【０１７３】
絶縁部材７８に、別体の指標部８８が固定される場合は、指標部８８は、導電性の部材であっても非導電性の部材であってもかまわない。絶縁部材７８と指標部とを固定する場合には、接合層に接着剤、粘着材、または両面テープなどを用いると良い。
【０１７４】
なお、絶縁部材７８と指標部８８とが、絶縁性の部材からなる場合には、その材質としては、特に限定されるものではないが、合成樹脂、ゴム、セラミックなどの非導電性の絶縁材料を採用することができる。
【０１７５】
また導電性の素材に、非導電性の被膜が被覆された部材とすることも可能である。
この場合、絶縁部材７８を構成する導電性材料としては、実施例２で説明したものと同様のものを使用することができる。
【０１７６】
指標部８８を、導電性の部材とした場合には、図１０に示したように、絶縁部材７８を、回転ベゼル３６のスリット５６の開放端を越えて回転ベゼルの上面まで延出した形状とし、このような絶縁部材７８の上に導電性の指標部８８を設けることが好ましい。このように構成することで、指標部８８をバイパスにしてスリット５６で分断された回転ベゼル３６の両開放端が電気的に導通することが回避される。
【０１７７】
なお、導電性の材料としては、回転ベゼル３６と同じように、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【０１７８】
このように、指標部８８が金属のような導電性材料からなれば、回転ベゼル３６の外観に、さらに金属調の高級感と美観が付与されることとなる。
（実施例４）
図１１は、本発明の第４の実施例における無線機能付き時計であって、スリット内に絶縁部材を装着した状態を説明する斜視図である。
【０１７９】
この実施例の無線機能付き時計１０は、図１〜図３に示した無線機能付き時計１０と基本的には同様な構成であり、同一の構成部材には、同一の参照番号を付して、その詳細な説明を省略する。
【０１８０】
この実施例の無線機能付き時計１０では、図１１に示したように絶縁部材７８に、観る者に美感を起こさせる装飾部材８４が形成されている。
このように絶縁部材７８に宝石や貴石などの輝石からなる装飾部材８４を備えることによって、回転ベゼル３６の美観と高級観が向上し、時計自体の美観も向上することになる。
（実施例５）
図１２は、本発明の第５の実施例における無線機能付き時計であって、スリット内に絶縁部材を装着する状態を説明する斜視図、図１３は、本発明の第５の実施例における無線機能付き時計であって、スリット内に絶縁部材を装着した状態を説明する斜視図、図１４は、本発明の第５の実施例における無線機能付き時計であって、スリット内に絶縁部材を装着した状態を説明する部分断面図である。
【０１８１】
この実施例の無線機能付き時計１０は、図１〜図３に示した無線機能付き時計１０と基本的には同様な構成であり、同一の構成部材には、同一の参照番号を付して、その詳細な説明を省略する。
【０１８２】
この実施例の無線機能付き時計１０では、図１２〜図１４に示したように、絶縁部材７８が、導電性の付加部材８０を保持しており、この付加部材８０が、外方から視認され得るように、かつ回転ベゼル３６と接触しないように絶縁部材７８に保持されている。
【０１８３】
具体的には、付加部材８０が絶縁部材７８に形成された凹部７８ｃ内に配置されることで、付加部材８０が絶縁部材７８に形成された凹部７８ｃ内に、確実に固定することができるようになっている。
【０１８４】
なお付加部材８０は、不用意に絶縁部材７８の凹部７８ｃから脱落しないように絶縁部材７８に固定されることが好ましい。
固定手段としては、嵌合、圧入、接合、インサート成形など、機械的な係合手段が採用される。また、絶縁部材７８と付加部材８０とを接合する場合には、接合層に接着剤、粘着材、または両面テープなどが用いられる。
【０１８５】
このように構成すれば、絶縁部材７８に保持された導電性の付加部材８０により、絶縁部材７８に金属外観が付与されることになるので、回転ベゼル３６の美観と高級観が向上し、時計自体の美観も向上することになる。
【０１８６】
また付加部材８０が、回転ベゼル３６と接触しないように絶縁部材７８に保持されているので、回転ベゼル３６に渦電流が発生せず、アンテナ２６の受信感度が向上する。
この場合、付加部材８０の視認面の色調が、回転ベゼル３６の視認面の色調と同色色調とすることができる。
【０１８７】
このように、付加部材８０の視認面の色調が回転ベゼル３６の視認面の色調と同色色調となるように構成することによって、付加部材８０が視認され難くなり、回転ベゼル３６の美観、時計自体の美観が向上することになる。
【０１８８】
また、付加部材８０の視認面の色調が、回転ベゼル３６の視認面の色調と異色色調とすることもできる。
このように、付加部材８０の視認面の色調が、回転ベゼル３６の視認面の色調と異色色調となるように構成することによって、この付加部材８０の部分を、美観上または何らかの情報を、時計の携帯者などの観察者に視認し易くすることができる。
【０１８９】
さらに付加部材８０を、時計の機能表示を示す指標とすることもできる。
すなわち、付加部材８０を、時刻表示、日付表示、曜日表示、月表示、年表示、電池の残量表示、圧力や温度などの外環境測定値の表示、アンテナの受信感度表示、アンテナにおける受信成否の表示など、時計の機能表示を示す指標とすることによって、時計の機能表示を、時計の携帯者などの観察者に示すことができる。
【０１９０】
この場合、付加部材８０自体を時計の機能表示を示す指標８２として用いてもよい。さ
らにブランド名、メーカー名、商品名などを表すマークやエンブレムなどの商品表示部材であってもよい。
【０１９１】
なお、付加部材８０を構成する材料としては、特に限定されるものではないが、回転ベゼル３６と同様な導電性の材料や、絶縁部材７８と同様な絶縁材料などを用いることができる。
（実施例６）
図１５は、本発明の第６の実施例における無線機能付き時計であって、スリット内に絶縁部材と付加部材とを装着した状態を説明する部分断面図である。
【０１９２】
この実施例の無線機能付き時計１０は、図１〜図３に示した無線機能付き時計１０と基本的には同様な構成であり、同一の構成部材には、同一の参照番号を付して、その詳細な説明を省略する。
【０１９３】
この実施例の無線機能付き時計１０では、図１５に示したように、回転ベゼル３６に設けられたスリット５６内に、一定間隔離間して配置された２つの絶縁部材７８、７８の間に、付加部材８０が配置されている。
【０１９４】
このように構成することによって、付加部材８０が２つの絶縁部材７８、７８の間に確実に固定することができる。
また、付加部材８０と絶縁部材７８の視認面とが略同一平面を形成するように、２つの絶縁部材７８、７８の間に付加部材を配置することができ、回転ベゼル３６と絶縁部材７８と付加部材８０とが一体的に視認されるので、回転ベゼル３６の美観と高級観が向上し、時計自体の美観も向上することになる。
【０１９５】
この付加部材８０として、金属のような導電性の部材が採用される場合、回転ベゼル３６に外観に、さらに金属調の高級感と美観が付与される。特に、回転ベゼル３６と付加部材８０とが同じ金属で構成されると、回転ベゼル３６と付加部材８０とが一体的に視認されるので好ましい。
【０１９６】
この絶縁部材７８は、回転ベゼル３６と付加部材８０とを接合するための非導電性の接合層に代換され得る。この接合層としては、非導電性の粘着層や非導電性の接着層、たとえば、合成樹脂などの非導電性材料を含む粘着層や接着層が採用され得る。非導電性の粘着層としては、たとえば両面粘着テープが採用される。
（実施例７）
図１６は、本発明の第７の実施例における無線機能付き時計であって、スリット内に絶縁部材と付加部材とを装着する状態を説明する斜視図、図１７は、本発明の第７の実施例における無線機能付き時計であって、スリット内に絶縁部材と付加部材とを装着した状態を説明する斜視図である。
【０１９７】
この実施例の無線機能付き時計１０は、図１〜図３に示した無線機能付き時計１０と基本的には同様な構成であり、同一の構成部材には、同一の参照番号を付して、その詳細な説明を省略する。
【０１９８】
この実施例の無線機能付き時計１０では、図１６または図１７に示したように、付加部材８０が、回転ベゼル３６と絶縁部材７８との境界の少なくとも一部を覆う覆い部８０ｃを備えている。
【０１９９】
このように構成することによって、回転ベゼル３６と絶縁部材７８との境界が、付加部材８０の覆い部８０ｃで隠されて視認されなくなるので、回転ベゼル３６の美観と高級観
がさらに向上する。
【０２００】
またこの場合、付加部材８０を絶縁部材７８に装着するために、付加部材８０の背面に係合凸部８０ｄが形成され、これに対応して絶縁部材７８に係合孔部７８ｄが形成されており、係合凸部８０ｄと係合孔部７８ｄとの係合によって、付加部材８０が絶縁部材７８に取り付けられるようになっている。
【０２０１】
このように構成することによって、係合凸部８０ｄと係合孔部７８ｄとの係合によって、付加部材８０を絶縁部材７８にさらに確実に固定することができる。
なおこの場合、絶縁部材７８と付加部材８０のいずれか一方に突設された係合凸部と、他方に形成された係合孔部とを係合することによって、付加部材８０を絶縁部材７８に取り付ければよく、付加部材に８０に係合孔部を設け、絶縁部材７８に係合凸部を設けることも可能である。
【０２０２】
さらに、付加部材８０の覆い部８０ｃと回転ベゼル３６との間に、絶縁部材７８より延出する延出部７８ｅを形成することが望ましい。
このように構成することによって、回転ベゼル３６と絶縁部材７８との境界を越えて延びた導電性の付加部材８０の覆い部８０ｃが、絶縁部材７８の延出部７８ｅによって妨げられ、導電性の回転ベゼル３６に接触しないことになる。
【０２０３】
その結果、導電性である付加部材８０と回転ベゼル３６とが確実に絶縁されるので、回転ベゼル３６に渦電流が生じるのが回避され、アンテナ２６の受信感度が向上することになる。
【０２０４】
この場合、本実施例では、絶縁部材７８より延出する延出部７８ｅを、付加部材８０の覆い部８０ｃよりも短く設定しているが、延出部７８ｅを覆い部８０ｃと略同一とすることによって、導電性の付加部材８０の覆い部８０ｃが、完全に絶縁部材７８の延出部７８ｅに妨げられて、導電性の回転ベゼル３６に接触しないことになり、回転ベゼル３６に渦電流が生じるのが回避され、アンテナ２６の受信感度が向上することになる。
【０２０５】
なお、このような付加部材８０上に、実施例４と同様に、観る者に美感を起こさせる宝石や貴石などの輝石からなる装飾部材８４を形成することによって、回転ベゼル３６の美観と高級観がさらに向上し、時計自体の美観もさらに向上することになる。
（実施例８）
図１８は、本発明の第８の実施例における無線機能付き時計であって、回転ベゼル上に設けられた凹部に、補強部材を固定する状態を説明する斜視図、図１９は、本発明の第８の実施例における無線機能付き時計であって、回転ベゼル上に設けられた凹部に、補強部材を固定した状態を説明する斜視図、図２０は、本発明の第８の実施例における無線機能付き時計であって、回転ベゼル上に設けられた凹部に、補強部材を固定した状態を説明する部分断面図である。
【０２０６】
この実施例の無線機能付き時計１０は、図１〜図３に示した無線機能付き時計１０と基本的には同様な構成であり、同一の構成部材には、同一の参照番号を付して、その詳細な説明を省略する。
【０２０７】
この実施例の無線機能付き時計１０では、図１８〜図２０に示したように、回転ベゼル３６の上端内側に段部５７が形成されており、この段部５７に補強部材５３が固定されるようになっている。固定手段としては、嵌合、圧入、接合、インサート成形、ねじ止めなど、機械的な係合手段が採用される。また、補強部材５３と回転ベゼル３６とを接合する場合には、接合層に接着剤、粘着材、または両面テープなどが用いられる。なお、補強部
材５３が金属のような導電性の材料からなる場合には、ロー付け、溶接、レーザー溶接などで固定することができる。
【０２０８】
このような補強部材５３が本実施例のように環状形状であれば、回転ベゼル３６に設けられた段部５７の周方向全体にわたって回転ベゼル３６を補強することができる。
なお補強部材５３は、回転ベゼル３６のスリット５６にまたがって配置されていれば良く、これによって、回転ベゼル３６のスリット５６を視認され難くさせ、腕時計の美観が損なわれないようになっている。
【０２０９】
補強部材５３を構成する絶縁材料としては、特に限定されるものではないが、合成樹脂、ゴム、セラミックなどの非導電性の絶縁材料を採用することができる。
また導電性の素材に、非導電性の被膜が被覆された部材とすることも可能である。
【０２１０】
この場合、補強部材５３を構成する導電性材料としては、回転ベゼル３６を構成する導電性の材料と同様に、金、銀、銅、黄銅、アルミニウム、マグネシウム、亜鉛、チタン、または、これらの合金などを採用することができる。また、チタン合金、ステンレススチール、タンタルカーバイドなどを採用することもできる。
【０２１１】
そして、この補強部材５３を構成する導電性材料に被覆される非導電性の被膜、すなわち絶縁被膜としては、非導電性の塗装被膜、非導電性の印刷被膜、非導電性の乾式メッキ被膜が挙げられる。
【０２１２】
また、このような絶縁被膜としては、
・ＤＬＣ（ＤＩＡＭＯＮＤ  Ｌｉｋｅ  Ｃａｒｂｏｎ）などのＣＶＤ被膜、
・アクリル系材料、ウレタン系材料、または、セルロース系材料などの有機材料の絶縁被膜、
・クロム化合物を含むクロム化合物系被膜、または酸化アルミ化合物を含む酸化アルミ系被膜、
などを採用することができる。
【０２１３】
なお、クロム化合物系被膜としては、酸化クロム化合物を含む酸化クロム系被膜、窒化クロム化合物を含む窒化クロム系被膜、炭化クロム化合物を含む炭化クロム系被膜を採用することができる。
【０２１４】
また、このような絶縁被膜の代わりに、合成樹脂やゴムなどから成る絶縁シートが補強部材５３を構成する導電性材料に貼着された補強部材５３であってもかまわない。
さらに、補強部材５３の視認面の色調が、回転ベゼル３６の視認面の色調と同色色調とすることもできる。
【０２１５】
このように、補強部材５３の視認面の色調を、回転ベゼル３６の視認面の色調と同色色調となるように構成すれば、補強部材５３が視認され難くなり、回転ベゼル３６の美観、時計自体の美観が向上することになる。なお「視認面」とは、外面のうち観察者に視認される領域を言う。
【０２１６】
また、補強部材５３の視認面の色調が、回転ベゼル３６の視認面の色調と異色色調とすることもできる。
このようにすることによって、補強部材５３の部分を、美観上または何らかの情報を、時計の携帯者などの観察者に視認し易くすることができる。
【０２１７】
この場合「同色色調」とは、回転ベゼル３６と補強部材５３との色調とが、共に同じ色
調と認識され得る範囲内にあることを意味し、その色調の濃淡や明暗など、色調の外観上の風合いが完全に一致することに限定されない。
【０２１８】
なお、回転ベゼル３６と補強部材５３の視認面の色調とは、回転ベゼル３６と補強部材５３の素材そのものの色調であっても、回転ベゼル３６と補強部材５３に被覆された被膜の色調であってもよい。
【０２１９】
従って「異色色調」とは、このような回転ベゼル３６と補強部材５３の視認面の色調が、上記の同色色調と認められない色調の組み合わせを言う。
さらに、補強部材５３上に、時計の機能表示を示す指標を形成することもできる。
【０２２０】
このように補強部材５３に、時刻表示、日付表示、曜日表示、月表示、年表示、電池の残量表示、圧力や温度などの外環境測定値の表示、アンテナの受信感度表示、アンテナにおける受信の成否表示など時計の機能表示を示す指標を形成することによって、時計の機能表示を、時計の携帯者などの観察者に示すことができる。
【０２２１】
特に、回転ベゼル３６の視認面の色調と異色色調の補強部材５３に指標を形成した場合には、このような時計の機能表示を観察者により視認し易くすることができる。
このように回転ベゼル３６と補強部材５３との間に、絶縁領域５９を備えることによって、回転ベゼル３６と補強部材５３との間で、誘導電流が発生しないので、これらの回転ベゼル３６と補強部材５３との間に流れる渦電流に起因するアンテナ２６の受信感度の低下が阻止されることになり、アンテナ２６の受信感度が向上することになる。
【０２２２】
この場合、絶縁領域５９が、回転ベゼル３６と補強部材５３との間に配置された絶縁部材から構成することができる。
このような絶縁領域５９を構成する絶縁部材としては、合成樹脂、ゴム、または、セラミックなどの非導電性の絶縁部材を採用することができる。
【０２２３】
また、導電性の素材に、非導電性の被膜が被覆された部材とすることも可能である。この場合、絶縁部材を構成する導電性材料としては、金、銀、銅、黄銅、アルミニウム、マグネシウム、亜鉛、チタン、または、これらの合金などを採用することができる。また、チタン合金、ステンレススチール、タンタルカーバイドなどを採用することもできる。
【０２２４】
そして、この絶縁部材を構成する導電性材料に被覆される非導電性の被膜、すなわち絶縁被膜としては、非導電性の塗装被膜、非導電性の印刷被膜、非導電性の乾式メッキ被膜が挙げられる。
【０２２５】
また、このような絶縁被膜としては、
・ＤＬＣ（ＤＩＡＭＯＮＤ  Ｌｉｋｅ  Ｃａｒｂｏｎ）などのＣＶＤ被膜、
・アクリル系材料、ウレタン系材料、またはセルロース系材料などの有機材料の絶縁被膜、
・クロム化合物を含むクロム化合物系被膜、または酸化アルミ化合物を含む酸化アルミ系被膜、
などを採用することができる。
【０２２６】
なお、クロム化合物系被膜としては、例えば酸化クロム化合物を含む酸化クロム系被膜、窒化クロム化合物を含む窒化クロム系被膜、炭化クロム化合物を含む炭化クロム系被膜を採用することができる。
【０２２７】
また、このような絶縁被膜の代わりに、合成樹脂やゴムなどから成る絶縁シートが絶縁
部材を構成する導電性材料に貼着された絶縁部材であってもかまわない。
またこの場合、絶縁部材を回転ベゼル３６側に貼着することもできる。
【０２２８】
このように構成することによって、例えば、シート状の絶縁部材を回転ベゼル３６側に貼着するだけで良いので、回転ベゼル３６上に補強部材５３を組み込み易くなり、作業能率が向上し、製造コストを低減することができる。
【０２２９】
また、絶縁部材を、補強部材５３側に貼着することもできる。
このように構成することによって、例えば、シート状の絶縁部材を補強部材５３の下面に貼着するだけで良いので、補強部材５３を回転ベゼル３６の段部５７に組み込み易くなり、作業能率が向上し、製造コストを低減することができる。
【０２３０】
また、絶縁領域５９を、回転ベゼル３６と補強部材５３との間の少なくともいずれか一方に形成された絶縁被膜から構成することもできる。
このように絶縁被膜を塗装、蒸着などによって形成することによって、回転ベゼル３６と補強部材５３との間の境界面の少なくともいずれか一方に、絶縁被膜からなる絶縁領域５９を形成することができ、作業能率が向上し、製造コストを低減することができる。
【０２３１】
回転ベゼル３６に絶縁被膜を形成する場合には、回転ベゼル３６の全面に形成することができる。
回転ベゼル３６の全面に絶縁被膜を形成する方法としては、回転ベゼル３６を絶縁材料液に浸漬することによって、絶縁被膜を形成することができる。この方法を用いれば、作業能率が向上し、製造コストを低減することができる。
【０２３２】
以上、本発明の好ましい実施の態様を説明してきたが、本発明はこれに限定されることはなく、例えば、ハウジング１２を構成する時計ケース１４、裏蓋１６を導電性の金属製としたが、導電性の部品と非導電性の部品が混在してもかまわないものである。
【０２３３】
また、ハウジング１２は、少なくとも一部が導電性、または、少なくとも一部が非導電性の部材であってもよいものであり、本発明の目的を逸脱しない範囲で種々の変更が可能である。
【図面の簡単な説明】
【０２３４】
【図１】図１は、本発明の第１の実施例における無線機能付き時計の斜視図である。
【図２】図２は、図１の第１の実施例における無線機能付き時計の断面図である。
【図３】図３は、図２の第１の実施例における無線機能付き時計のクリックばね部材を説明する斜視図である。
【図４】図４は、本発明の第２の実施例における無線機能付き時計であって、スリット内に絶縁部材を装着する状態を説明する斜視図である。
【図５】図５は、本発明の第２の実施例における無線機能付き時計であって、スリット内に絶縁部材を装着した状態を説明する斜視図である。
【図６】図６は、本発明の第３の実施例における無線機能付き時計であって、スリット内に絶縁部材を装着する状態を説明する斜視図である。
【図７】図７は、本発明の第３の実施例における無線機能付き時計であって、スリット内に絶縁部材を装着した状態を説明する斜視図である。
【図８】図８は、本発明の第３の実施例における無線機能付き時計であって、絶縁部材の指標部が、回転ベゼルのスリットの開放端を越えて、回転ベゼルの上方まで延出した場合の状態を説明する斜視図である。
【図９】図９は、本発明の第３の実施例における無線機能付き時計であって、絶縁部材の指標部が、回転ベゼルのスリットの開放端を越えて、回転ベゼルの上方まで延出した場合の他の状態を説明する斜視図である。
【図１０】図１０は、本発明の第３の実施例における無線機能付き時計であって、絶縁部材の指標部を、導電性の材質とした場合の状態を説明する斜視図である。
【図１１】図１１は、本発明の第４の実施例における無線機能付き時計であって、スリット内に絶縁部材を装着した状態を説明する斜視図である。
【図１２】図１２は、本発明の第５の実施例における無線機能付き時計であって、スリット内に絶縁部材を装着する状態を説明する斜視図である。
【図１３】図１３は、本発明の第５の実施例における無線機能付き時計であって、スリット内に絶縁部材を装着した状態を説明する斜視図である。
【図１４】図１４は、本発明の第５の実施例における無線機能付き時計であって、スリット内に絶縁部材を装着した状態を説明する部分断面図である。
【図１５】図１５は、本発明の第６の実施例における無線機能付き時計であって、スリット内に絶縁部材と付加部材とを装着した状態を説明する部分断面図である。
【図１６】図１６は、本発明の第７の実施例における無線機能付き時計であって、スリット内に絶縁部材と付加部材とを装着する状態を説明する斜視図である。
【図１７】図１７は、本発明の第７の実施例における無線機能付き時計であって、スリット内に絶縁部材と付加部材とを装着した状態を説明する斜視図である。
【図１８】図１８は、本発明の第８の実施例における無線機能付き時計であって、回転ベゼル上に設けられた凹部に、補強部材を固定する状態を説明する斜視図である。
【図１９】図１９は、本発明の第８の実施例における無線機能付き時計であって、回転ベゼル上に設けられた凹部に、補強部材を固定した状態を説明する斜視図である。
【図２０】図２０は、本発明の第８の実施例における無線機能付き時計であって、回転ベゼル上に設けられた凹部に、補強部材を固定した状態を説明する部分断面図である。
【図２１】図２１は、従来の無線機能付き時計の実施例の分解斜視図である。
【符号の説明】
【０２３５】
１０・・・無線機能付き時計
１２・・・ハウジング
１４・・・時計ケース
１６・・・裏蓋
１８・・・風防
２０・・・ムーブメント
２０ａ・・小径部
２０ｂ・・大径部
２２・・・ソーラーセル
２４・・・文字板
２６・・・アンテナ
２７・・・分針
２８・・・バンド取り付け部
２９・・・時針
３０・・・脚部
３１・・・針軸
３２・・・見返し部
３６・・・回転ベゼル
３７・・・環状凸部
３９・・・環状凹部
４１・・・クリック溝
４２・・・テーパー面
４３・・・環状溝
４５・・・環状壁
４６・・・固定（防水）パッキン
４７・・・クリックばね部材
４８・・・中子部材
４９・・・弾性爪
５０・・・係合突設部
５１・・・固定爪
５２・・・係合用凹部
５３・・・補強部材
５４・・・支持枠
５６・・・スリット
５７・・・段部
５９・・・絶縁領域
７８・・・絶縁部材
７８ｃ・・凹部
７８ｄ・・係合孔部
７８ｅ・・延出部
８０・・・付加部材
８０ｃ・・覆い部
８０ｄ・・係合凸部
８２・・・指標
８４・・・装飾部材
８８・・・指標部
１００・・・電波時計
１０２・・・ハウジング
１０４・・・時計ケース
１０６・・・裏蓋
１０８・・・風防
１１０・・・ムーブメント
１１２・・・ソーラーセル
１１４・・・文字板
１１６・・・アンテナ
１１８・・・バンド取り付け部
１２０・・・脚部
１２２・・・スリット
【図１】
2008032567.tif 000003
【図２】
2008032567.tif 000004
【図３】
2008032567.tif 000005
【図４】
2008032567.tif 000006
【図５】
2008032567.tif 000007
【図６】
2008032567.tif 000008
【図７】
2008032567.tif 000009
【図８】
2008032567.tif 000010
【図９】
2008032567.tif 000011
【図１０】
2008032567.tif 000012
【図１１】
2008032567.tif 000013
【図１２】
2008032567.tif 000014
【図１３】
2008032567.tif 000015
【図１４】
2008032567.tif 000016
【図１５】
2008032567.tif 000017
【図１６】
2008032567.tif 000018
【図１７】
2008032567.tif 000019
【図１８】
2008032567.tif 000020
【図１９】
2008032567.tif 000021
【図２０】
2008032567.tif 000022
【図２１】
2008032567.tif 000023